(57)【要約】【課題】多くの入場者があって、時間で入場制限するためのシステムを、簡単・容易に構築できるようにすること。【解決手段】入場証配信端末では、入場許可時間毎に生成する鍵データと、携帯情報端末に固有の端末ＩＤとから、入場証暗号化鍵を生成して、この生成した入場証暗号化鍵を用いて、入場証データの少なくとも一部を暗号化して暗号化入場証を生成して、これを携帯情報端末に配信して保持させる。また、入場証鍵配信端末では、時間に応じてその時点で有効な鍵データを生成して、この生成した鍵データと携帯情報端末より受け取った端末ＩＤとから、暗号化入場証を復号するための入場証復号化鍵を生成して、この生成した入場証復号化鍵を携帯情報端末に配信する。携帯情報端末では、入場証配信端末から配信された暗号化入場証を、入場証鍵配信端末から配信された入場証復号化鍵を用いて復号化する。【選択図】　　　　図１
2004078836.tif 000002
【特許請求の範囲】
【請求項１】
無線通信により暗号化入場証の配信を受ける携帯情報端末と、該携帯情報端末に対して無線通信により前記暗号化入場証を配信する入場証配信端末と、前記携帯情報端末に対して無線通信により前記暗号化入場証を復号するための入場証復号化鍵を配信する入場証鍵配信端末とを、含んで構成される入場証配信システムであって、
前記入場証配信端末は、少なくとも入場許可コードを含む入場証データを生成する入場証生成手段と、前記入場証データの入場許可時間毎に変化する鍵データを生成する鍵生成手段と、該生成した鍵データと前記携帯情報端末より受け取った該携帯情報端末に固有の端末ＩＤとから入場証暗号化鍵を生成する入場証暗号化鍵生成手段と、前記入場証データの少なくとも一部を前記入場証暗号化鍵で暗号化して前記暗号化入場証を生成する暗号化手段とを有し、
前記入場証鍵配信端末は、時間に応じてその時点で有効な鍵データを生成する鍵生成手段と、該生成した鍵データと前記携帯情報端末より受け取った該携帯情報端末に固有の端末ＩＤとから、前記暗号化入場証を復号するための前記入場証復号化鍵を生成する入場証復号化鍵生成手段とを有し、
前記携帯情報端末は、前記入場証配信端末から配信された前記暗号化入場証を、前記入場証鍵配信端末から配信された前記入場証復号化鍵を用いて復号化する復号化手段と、復号化された入場証のデータを出力する手段とを有する、
ことを特徴とする入場証配信システム。
【請求項２】
請求項１記載において、
前記携帯情報端末が、前記入場証鍵配信端末の無線配信可能な領域に入ると、前記携帯情報端末と前記入場証鍵配信端末との間に自動的に通信路を確立して、前記入場証鍵配信端末から前記入場証復号化鍵の配信を受けることを特徴とする入場証配信システム。
【請求項３】
請求項２記載において、
前記携帯情報端末は、前記入場証配信端末から、前記入場証鍵配信端末に固有の認識用ＩＤの配信を受け、前記携帯情報端末が、前記入場証鍵配信端末の無線配信可能な領域に入ると、前記携帯情報端末が、接続要求を出している前記入場証鍵配信端末の認識用ＩＤと一致する認識用ＩＤを格納している場合には、前記携帯情報端末と前記入場証鍵配信端末との間に自動的に通信路を確立することを特徴とする入場証配信システム。
【請求項４】
請求項１ないし３の何れか１項に記載において、
前記携帯情報端末は、前記入場証復号化鍵を用いて前記暗号化入場証の復号化に成功した場合には、入場が許可されていることを示すデータを表示手段上に表示することを特徴とする入場証配信システム。
【請求項５】
請求項１ないし３の何れか１項に記載において、
前記携帯情報端末は、前記入場証復号化鍵を用いて前記暗号化入場証の復号化に成功した場合には、入場が許可されていることを示すデータを、入場確認端末に対して送信することを特徴とする入場証配信システム。
【請求項６】
請求項１ないし５の何れか１項に記載において、
前記携帯情報端末が配信を受ける前記暗号化入場証には、暗号化されていないデータが含まれ、前記携帯情報端末は、暗号化されていないデータを表示手段上に表示可能であることを特徴とする入場証配信システム。
【請求項７】
請求項１ないし５の何れか１項に記載において、
前記携帯情報端末が配信を受ける前記暗号化入場証には、暗号化されていないデータとして予約された入場時間のデータが含まれ、前記携帯情報端末は、予約された入場時間の所定時間前に至ったことを認知すると、入場予約時間が迫った旨を認知させるための表示または音または振動を出力することを特徴とする入場証配信システム。
【請求項８】
無線通信により暗号化入場証の配信を受ける携帯情報端末と、該携帯情報端末に対して無線通信により前記暗号化入場証を配信する入場証配信端末と、前記携帯情報端末に対して無線通信により前記暗号化入場証を復号するための入場証復号化鍵を配信する入場証鍵配信端末とを、含んで構成されるシステムにおける入場証配信方法であって、
前記入場証配信端末は、少なくとも入場許可コードを含む入場証データを生成するとともに、入場証データの入場許可時間毎に変化する鍵データを生成して、該生成した鍵データと前記携帯情報端末より受け取った該携帯情報端末に固有の端末ＩＤとから入場証暗号化鍵を生成し、さらに、前記入場証データの少なくとも一部を前記入場証暗号化鍵で暗号化して前記暗号化入場証を生成して、これを前記携帯情報端末に配信し、
前記入場証鍵配信端末は、時間に応じてその時点で有効な鍵データを生成し、該生成した鍵データと前記携帯情報端末より受け取った該携帯情報端末に固有の端末ＩＤとから、前記暗号化入場証を復号するための前記入場証復号化鍵を生成して、これを前記携帯情報端末に配信し、
前記携帯情報端末は、前記入場証配信端末から配信された前記暗号化入場証を、前記入場証鍵配信端末から配信された前記入場証復号化鍵を用いて復号化することを特徴とする入場証配信方法。
【請求項９】
請求項８記載において、
前記携帯情報端末は、前記入場証配信端末から、前記入場証鍵配信端末に固有の認識用ＩＤの配信を受け、前記携帯情報端末が、前記入場証鍵配信端末の無線配信可能な領域に入ると、前記携帯情報端末が、接続要求を出している前記入場証鍵配信端末の認識用ＩＤと一致する認識用ＩＤを格納している場合には、前記携帯情報端末と前記入場証鍵配信端末との間に自動的に通信路を確立することを特徴とする入場証配信方法。
【請求項１０】
入場証配信端末から無線通信により暗号化入場証の配信を受けてこれを格納する手段と、入場証鍵配信端末から無線通信により配信された入場証復号化鍵を用いて、前記暗号化入場証を復号化する手段とを、備えた携帯情報端末であって、
前記暗号化入場証には、暗号化されていないデータとして予約された入場時間のデータが含まれ、
予約された入場時間の所定時間前に至ったことを認知する手段と、入場予約時間が迫った旨を認知させるための表示または音または振動を出力させる手段とを、有することを特徴とする携帯情報端末。
【発明の詳細な説明】
【０００１】
【発明の属する技術分野】
本発明は、電子的なデータを入場チケット（入場証）として携帯情報端末に保持させるようにした入場証配信システムにかかわる技術に関し、特に、入場証に時間指定が有る入場証配信システムにかかわる技術に関する。
【０００２】
【従来の技術】
従来からの紙媒体を使わずに、ＩＣカードを媒体とした電子チケットがある。これは、電子チケット用のＩＣカードを電子チケット販売業者から購入あるいは入手し、ＩＣカードリーダライターが接続されたパソコン等で、インターネットを介して電子チケットデータを販売する業者のホームページから、入手済みのＩＣカードに電子チケットデータをダウンロードするものである。実際の入場の際には、電子チケットデータが記録されているＩＣカードを、会場の入場ゲートにある読取装置に読ませて入場する。
【０００３】
さらに、携帯情報端末に電子チケットを記録する手法に関しては、特開２００１−１４８０３７号公報に記載の技術が挙げられる。この公開公報に開示された技術では、携帯端末からチケットの品目および暗証番号をネットワークを介してサーバに送ると、デジタル署名をほどこした電子チケットをネットワークを介して携帯端末に送り、携帯端末の所有者はこの電子チケットを２次元バーコードに変換して、入場の際に２次元バーコードによって適正であると認証されれば、入場が許可されるようにしている。
【０００４】
【発明が解決しようとする課題】
しかしながら、上記した従来技術では、時間毎に入場者数を制限するような（適正に入場制限するためにチケット（入場証）に時間指定を設ける、例えばテーマパークなどに適用されるような）電子チケットに関しては、考慮がなされておらず、このような入場証に時間指定があるシステムでは、入場者が増えれば、その時間に適合した入場証を保持した携帯情報端末であるかどうかを確認するために、データベースに格納する確認用データの量を増やす必要があり、処理が煩雑になるという問題がある。つまり、例えば入場者数が限られている会場では、その時点での各携帯情報端末毎の入場証が適正か否かを判断するための、各携帯情報端末毎に固有の識別情報と各携帯情報端末毎の時間指定のある入場許可データとを、蓄積サーバに膨大なデータとして保存しておき、入場ゲートではその膨大な入場許可データから、各携帯情報端末毎に、その携帯情報端末に合致する入場許可データがあるかどうかを確認する必要があり、このため、処理が煩雑で時間がかかり、多くの入場者を迅速にチェックするのは困難になり、また、システムのデータベース規模が大きくなるという問題があった。
【０００５】
【課題を解決するための手段】
上記した課題を解決するために、本願による代表的な１つの発明では、携帯電話機やＰＤＡなどの携帯情報端末と、携帯情報端末に暗号化入場証を配信する入場証配信端末と、例えば入場ゲート近くに設けられ、暗号化入場証を復号化するための入場証復号化鍵を携帯情報端末に配信する入場証鍵配信端末とを、含むシステムとする。そして、入場証配信端末では、時間毎に入場規制できるようにするための入場許可時間毎に生成する鍵データと、コピーを防止するための各携帯情報端末に固有の端末ＩＤとから、入場証暗号化鍵を生成して、この生成した入場証暗号化鍵を用いて、入場証データの少なくとも一部を暗号化して暗号化入場証を生成して、これを携帯情報端末に配信して保持させる。また、入場証鍵配信端末では、時間に応じてその時点で有効な鍵データを生成して、この生成した鍵データと携帯情報端末より受け取った端末ＩＤとから、暗号化入場証を復号するための入場証復号化鍵を生成して、この生成した入場証復号化鍵を携帯情報端末に配信する。携帯情報端末では、入場証配信端末から配信された暗号化入場証を、入場証鍵配信端末から配信された入場証復号化鍵を用いて復号化する。
【０００６】
【発明の実施の形態】
以下、本発明の実施の形態を、図面を用いて説明する。
【０００７】
図１は、本発明の一実施形態に係る入場証配信システムの概要を示す図である。本実施形態の入場証配信システムは、各ユーザが所持する携帯情報端末１と、暗号化入場証を携帯情報端末１に配信する入場証配信端末２と、暗号化入場証を復号化するための入場証復号化鍵を携帯情報端末１に配信する入場証鍵配信端末３とを、含んで構成されている。なお、図１において、４は会場へ入るための入場ゲートを示し、５は、入場証鍵配信端末３が無線配信可能な領域を示している。
【０００８】
ここで、入場証配信端末２の設置場所は任意であるが、本実施形態では、入場証配信端末２の設置場所として、例えば、会場の周囲、会場への交通機関の駅や道路のサービスエリア、あるいは、大きなターミナル等々を想定しており、これらの場所に設置された入場証配信端末２と、携帯情報端末１とが、直接無線通信を行うことを想定している。なお、携帯情報端末１が携帯電話機能とインターネットへの接続機能を有しており、入場証配信端末２がインターネットへの接続機能を有しているものであれば、携帯情報端末１は、インターネットを通じて入場証配信端末２と通信することも可能であり、このようなネットを利用した間接的な無線通信も、本発明でいう無線通信による暗号化入場証の配信の概念に含まれるものである。
【０００９】
また、本実施形態では、入場証鍵配信端末３は、入場ゲート４の近傍で、かつ会場の外に設置されることを想定しており、この入場証鍵配信端末３と携帯情報端末１とは、直接無線通信を行うことを想定しているが、上述と同様に、携帯情報端末１は、インターネットを通じて入場証鍵配信端末３と通信することも可能であり、このようなネットを利用した間接的な無線通信も、本発明でいう無線通信による入場証復号化鍵の配信の概念に含まれるものである。
【００１０】
図１に示す構成において、携帯情報端末１が、まず入場証配信端末２と無線で接続して、暗号化入場証を取得する。次に、携帯情報端末１が入場証鍵配信端末３の無線配信可能な領域５に入ると、携帯情報端末１は入場証鍵配信端末３から入場証復号化鍵を取得でき、携帯情報端末１において、暗号化入場証を入場証復号化鍵を用いて復号化することにより、暗号化されていない入場証とし、これにより、携帯情報端末１を所持するユーザは、入場ゲート４を通過して会場に入ることができるようになっている。
【００１１】
次に、携帯情報端末１、入場証配信端末２、入場証鍵配信端末３のハードウェアについて説明する。図２は、本実施形態の入場証配信システムの携帯情報端末１の基本構成を示すブロック図、図３は、本実施形態の入場証配信システムの入場証配信端末２の基本構成を示すブロック図、図４は、本実施形態の入場証配信システムの入場証鍵配信端末３の基本構成を示すブロック図である。
【００１２】
携帯情報端末１は、図２に示すように、少なくとも、中央処理ユニット（以下、ＣＰＵと記す）１１と、不揮発性メモリ（以下、ＲＯＭと記す）１２と、記憶手段１３と、入出力インターフェース手段（以下、Ｉ／Ｏと記す）１４と、液晶パネルやＬＥＤ等を用いた表示手段１５と、各部１１〜１５を接続するバス１６と、Ｉ／Ｏ１４に接続された通信手段１７と、Ｉ／Ｏ１４に接続され、タッチパネルやキーボード７やジョグダイヤル等からなる入力手段１８とを、含んだものとして構成されている。ＣＰＵ１１は、携帯情報処理端末１全体の動作を制御し、表示手段１５への表示内容の制御、通信手段１７の制御等々を行う。
【００１３】
入場証配信端末２は、図３に示すように、少なくとも、入場証配信端末２全体の動作を制御するＣＰＵ２１と、ＲＯＭ２２と、ハードディスク等の記憶手段２３と、Ｉ／Ｏ２４と、各部２１〜２４を接続するバス２５と、Ｉ／Ｏ２５に接続された通信手段２６とを、含んだものとして構成されている。
【００１４】
入場証鍵配信端末３は、図４に示すように、少なくとも、入場証鍵配信端末３全体の動作を制御するＣＰＵ３１と、ＲＯＭ３２と、ハードディスク等の記憶手段３３と、Ｉ／Ｏ３４と、各部３１〜３４を接続するバス３５と、Ｉ／Ｏ３５に接続された通信手段３６とを、含んだものとして構成されている。
【００１５】
通信手段１７、通信手段２６、通信手段３６は、例えば、近距離で通信が可能な無線通信手段で、同様な通信手段を備えた他の情報端末がある一定距離以下に近づくと、お互いの電波を受信し、携帯情報端末１および他の情報端末は接続可能な端末があることを認識する。携帯情報端末１と入場証配信端末２は、通信手段１７および通信手段２６を介して、無線で通信することによりデータの送受信を行い、携帯情報端末１と入場証鍵配信端末３は、通信手段１７および通信手段２６を介して、無線で通信することによりデータの送受信を行う。
【００１６】
次に、機能ブロック図を用いて、携帯情報端末１と入場証配信端末２とが基本的な通信路確立後に、データの送受信を行う機能手段について説明する。図５は、本実施形態の入場証配信システムにおける、携帯情報端末１と入場証配信端末２とがデータの送受信を行い、暗号化入場証を配信する際の様子を示す機能ブロック図であり、図５においては要部の機能ブロックのみを示してある。
【００１７】
携帯情報端末１は、該端末１に固有のＩＤであって端末の識別に使用する端末ＩＤ４１と、暗号化データを復号化する復号化手段４２とを持つ。端末ＩＤ４１は、端末固有であり、端末を識別するＩＤであり、端末の書き換え不可能な領域、例えば図２のＲＯＭ１２や、通信手段１７のハードウェアの部分に記録されている。復号化手段４２は、配信された暗号化入場証を復号するためのもので、暗号化入場証の配信時（暗号化入場証の入手時）には、この復号化手段４２は用いられない。なお、復号化手段４２は、携帯情報端末１の出荷時や販売時にあらかじめ搭載しておいてもよいし、購入後に外部から入手して搭載するようにしてもよい。復号化手段４２（復号化を行うアプリケーションソフト）の携帯情報端末１への入手手法としては、他の配信端末から入手する手法や、インターネットを介して所定のサーバから入手する手法や、ＰＣカードやＣＤ−ＲＯＭなど記録媒体に記録されているものからコピーあるいはインストールすることにより入手する手法など、適宜の手法を採ることができる。
【００１８】
入場証配信端末２は、入場証データを生成する入場証生成手段５１と、生成された入場証データを暗号化する暗号化手段５２と、入場許可をする時間毎に鍵データを生成する鍵生成手段５３と、鍵生成手段５３で生成された鍵データと携帯情報端末１から取得した端末ＩＤとから入場証暗号化鍵を生成する入場証暗号化鍵生成手段５４と、時計手段５５とを持つ。
【００１９】
続いて、携帯情報端末１が暗号化入場証を入手する手順を、図６のフローチャートを用いて説明する。
【００２０】
携帯情報端末１の通信手段１７と入場証配信端末２の通信手段２６との間で無線通信路が確立された後、携帯情報端末１が、ユーザによる入力手段１８の適宜操作にしたがい（表示手段１５上の適宜のガイダンス画面と対話式の入力操作にしたがい）、入場証発行要求を、入場証配信端末２に対して送信する（ステップＳ１）。入場証配信端末２は、この入場証発行要求を受信すると（ステップＳ２）、入場が可能な時間について検索し（ステップＳ３）、入場が可能な時間帯があればステップＳ５に進み、入場が可能な時間帯がなければステップＳ４に進む。
【００２１】
なお、ここでは説明の簡単化のために、携帯情報端末１を所持したユーザが会場に出向き、会場の周辺で入場証配信端末２と接続後、入場証発行要求を送信することを例に挙げたが、携帯情報端末１を所持したユーザが、任意の場所で事前に入場証の発行を受けようとした場合には、携帯情報端末１から、希望する入場会場および日付および時間帯を含む入場証発行要求を、入場証配信端末２に対して送信し、入場証配信端末２では、ユーザの希望する条件で入場可能であるかどうかを判別することになる。
【００２２】
ステップＳ４では、エラー処理をし、入場拒否通知を携帯情報端末１に対して送信する。
【００２３】
ステップＳ５では、入場可能な会場、入場日時、入場許可コードを含む入場証データ１０１を、入場証生成手段５１によって生成し、ステップＳ５に続くステップＳ６では、許可した入場時間に対応する鍵データ１０２を、鍵生成手段５３によって生成する。
【００２４】
ステップＳ６に続くステップＳ７では、入場証配信端末２が、携帯情報端末１に対して端末ＩＤの送信を要求する。携帯情報端末１は、この端末ＩＤ要求を受信すると（ステップＳ８）、入場証配信端末２に対して端末ＩＤ４１を送信する（ステップＳ９）。
【００２５】
入場証配信端末２は、この端末ＩＤ４１を受信すると（ステップＳ１０）、ステップＳ１１において、受信した端末ＩＤ４１と、鍵生成手段５３で生成した鍵データ１０２とを用いて、入場証暗号化鍵生成手段５４で入場証暗号化鍵１０３を生成する（例えば、端末ＩＤを鍵データで暗号化することにより入場証暗号化鍵を生成する）。ステップＳ１１に続くステップＳ１２では、先に生成した入場証データ１０１を、暗号化手段５２において入場証暗号化鍵１０３で暗号化して、暗号化入場証１０４を生成する。そして、次のステップＳ１３で、生成した暗号化入場証１０４を、入場証配信端末２から携帯情報端末１に送信する。
【００２６】
携帯情報端末１は、この暗号化入場証１０４を受信すると（ステップＳ１４）、受信した暗号化入場証１０４を記憶手段１３に格納し（ステップＳ１５）、これにより、暗号化入場証配信の処理フローは終了する。
【００２７】
なお、端末ＩＤの送信タイミングは、ステップＳ１の入場証発行要求の送信時として、一時的に端末ＩＤ４１を記憶手段２３に格納するようにしてもよい。また、通信手段確立時に、端末ＩＤ４１を既に入場証配信端末２に送信しているものであれば、端末ＩＤの要求（ステップＳ７）から端末ＩＤの受信（ステップＳ１０）までの手順は不要である。
【００２８】
次に、機能ブロック図を用いて、携帯情報端末１と入場証鍵配信端末３とが基本的な通信路確立後に、データの送受信を行う機能手段について説明する。図７は、本実施形態の入場証配信システムにおける、携帯情報端末１と入場証鍵配信端末３とがデータ通信を行って入場証復号化鍵を配信し、携帯情報端末１が入場証復号化鍵を用いて暗号化入場証を復号する際の様子を示す機能ブロックであり、図７においては要部の機能ブロックのみを示している。
【００２９】
携帯情報端末１の記憶手段１３には、既に、入場証配信端末２から配信された暗号化入場証１０４のデータが格納されている。
【００３０】
入場証鍵配信端末３は、その時点、時点で（現時点で）有効な鍵データを生成する鍵生成手段６１と、鍵生成手段６１で生成された鍵データと入手した端末ＩＤとから、入場証復号化鍵を生成する入場証復号化鍵生成手段６２と、時計手段６３とを持つ。
【００３１】
続いて、携帯情報端末１と入場証鍵配信端末３との間で行われる、入場証復号化鍵配信の手順、および、携帯情報端末１での暗号化入場証の復号処理について、図８のフローチャートを用いて説明する。
【００３２】
携帯情報端末１が、入場証鍵配信端末３の通信手段３６の情報配信可能な領域５内に入ると、携帯情報端末１の通信手段１７は、入場証鍵配信端末３の通信手段３６と無線通信路を確立する。そして、無線通信路が確立された後、携帯情報端末１は、入場証復号化鍵の送信要求を入場証鍵配信端末３に送信する（ステップＳ２１）。つまり、携帯情報端末１と入場証鍵配信端末３とがお互いの電波を受信し合って相互認識を行い、携帯情報端末１が、通信相手が入場証鍵配信端末３であることを認知し、かつ、携帯情報端末１が復号化に成功していない暗号化入場証を保持している場合には、携帯情報端末１は、入場証復号化鍵の送信要求を、自動的に入場証鍵配信端末３に対して送信する。
【００３３】
入場証鍵配信端末３は入場証復号化鍵の送信要求を受信すると（ステップＳ２２）、現時点で有効な鍵データ１０５を鍵生成手段６１で生成する（ステップＳ２３）。次に、入場証鍵配信端末３は、携帯情報端末１に対して端末ＩＤの送信を要求し（ステップＳ２４）、携帯情報端末１は、この端末ＩＤ要求を受信すると（ステップＳ２５）、入場証鍵配信端末３に対して端末ＩＤ４１を送信する（ステップＳ２６）。なお、上記の端末ＩＤの要求タイミングは１例であり、暗号化入場証配信時と同様に、通信経路確立時に入手してもよいし、入場証復号化鍵要求時に送信されてきてもよい。
【００３４】
入場証鍵配信端末３は、この端末ＩＤ４１を受信すると（ステップＳ２７）、先に生成してある鍵データ１０５と端末ＩＤ４１とを用いて、入場証復号化鍵１０６を生成する（ステップＳ２８）。そして、入場証鍵配信端末３は、この生成した入場証復号化鍵１０６を携帯情報端末１に対して送信する（ステップＳ２９）。
【００３５】
携帯情報端末１は、入場証復号化鍵１０６を受信すると（ステップＳ３０）、この入場証復号化鍵１０６を用いて、先に入場証配信端末２から受信済みである暗号化入場証１０４の復号化処理を行う（ステップＳ３１）。復号化された入場証は、例えば、表示用の情報であれば、携帯情報端末１の表示手段１５に入場証として表示される（ステップＳ３１）。
【００３６】
以上の処理により、携帯情報端末１が正しい入場証を保持していることが認証可能となり、その時間に応じた正しい入場証（その時間に入場が許可された入場証）を保持した携帯情報端末１の所有者のみが会場に入場可能になる。ここで、入場証復号化鍵が暗号化入場証に対して適正なものならば、換言するなら、時間毎の鍵データと携帯情報端末１毎に固有の端末ＩＤとで生成された入場証復号化鍵が、携帯情報端末１に対して許可された時間と、携帯情報端末１の端末ＩＤに対して適正なものであるならば、暗号化入場証の復号化は成功し、携帯情報端末１の表示手段１５には、入場を許可する情報、例えば、最終的な入場チェックを人がするなら、入場許可時間等がテキスト表示され、また、スキャナー等で最終チェックをするなら２次元バーコード等のスキャナーで読み取り可能な情報が表示される。さらに、無線で入場を許可する情報を送信する場合は、これを送信データとして、入場ゲート等の近くに設置された最終チェック端末（入場確認端末）に送信し、入場証コードが正しいかの判別を促す。
【００３７】
以上述べたように本実施形態の入場証配信システムにおいては、暗号化された入場証を配信する端末（入場証配信端末２）や復号化のための鍵データを配信する端末（入場証鍵配信端末３）に、入場者あるいは携帯情報端末１の個々のデータを蓄積・管理するデータベースを不要としているので、構築が容易で、また、安価なシステムとして実現可能となる。また、入場を許可する時間を有する暗号化入場証をもつ携帯情報端末は、その該当する時間に適合する携帯情報端末のみが入場が許可されることになるので、許容範囲を超えて遅く来場した人や、許容範囲を超えて早く来場した人を、入場制限することができ、会場内の人数を適正に維持することが可能となる。また、入場証鍵配信端末３によって、広い範囲に向けて入場証復号化鍵の配信が可能であることから、入場者（携帯情報端末１の所有者）はゲート前などに長時間並ぶ必要がなくなる。さらにまた、ユーザが操作しなくても、携帯情報端末１と入場証鍵配信端末３とが通信可能な状態となれば、自動的に入場証復号化鍵データを配信して、入場許可情報を表示させることが可能なので、ユーザが携帯情報端末１をいちいち操作する煩わしい手間が省ける。
【００３８】
続いて、携帯情報端末１と入場証鍵配信端末３０との接続を容易にする手法を、以下に説明する。
【００３９】
携帯情報端末１が入場証配信端末２から暗号化入場証１０４を入手する際に、入場証配信端末２から併せて、入場証鍵配信端末３の認識ＩＤ、例えば、端末ＩＤや、通信手段のハードウェア固有のＩＤなどを取得して、この入場証鍵配信端末３の認識ＩＤを記憶手段１３に格納するようしておく。また、入場証鍵配信端末３は、通信手段３６から自己の認識ＩＤをもつ携帯情報端末１との接続要求を配信する。
【００４０】
ここで、携帯情報端末１が、入場証鍵配信端末３の無線配信可能な領域５に入ると、携帯情報端末１は、記憶装置１３に格納した認識ＩＤと、接続要求が出されている情報鍵配信端末３の認識ＩＤとが一致していれば、携帯情報端末１は入場証鍵配信端末３との接続を確立して、図８に示したような手順により入場証復号化鍵１０６を入手する。
【００４１】
かような手法をとることにより、同様な無線通信手段を有し、通信要求を出している携帯情報端末あるいは配信端末が複数有る場合に、接続すべき端末と確実に接続することができる。また、無駄な端末の確認を行わなくてもよいので、接続時間が早くなる。
【００４２】
次に、暗号化入場証に入場を許可する時間帯（入場時間など）が記載されている場合の、アラーム通知機能の例について説明する。図９は、本例における暗号化入場証のデータ構成例を示す図である。本例では、暗号化入場証のデータはすべて暗号化されているのではなく、一部鍵がなくても読み取り可能としている。例えば、基本的な入場日時、入場場所等のデータは読み取り可能とし、入場に必要なコード等のみを暗号化するようにしてある。図９に示した例では、暗号化入場証のデータは、どの会場に入場するかを識別する入場会場識別コード９１と、どの時間が許可されているかを識別する入場日時データ９２と、ユーザがどのような入場証を入手したかを携帯情報端末に表示させ、確認させるための表示情報９３と、時間毎および端末毎の鍵で暗号化された暗号化入場許可コード９４とで、構成されている。
【００４３】
このように、暗号化入場証のデータに、暗号化されていない内容確認用の表示情報９３などを含ませることによって、ユーザは、どのような入場証を入手したかを、携帯情報端末１の表示手段１５上に表示情報９３を表示させることによって、簡単に確認できるようになる。
【００４４】
図１０は、本例の入場時間のアラーム通知機能における報知画面例を示す図である。本例における携帯情報端末１の入場時間のアラーム通知機能では、暗号化入場証のデータから予約された入場時間のデータを抽出し、次に、携帯情報端末１の時計機能を利用して、タイマーを予約された入場時間の前、例えば、１０分前に設定する。
【００４５】
図１０において、９５は携帯情報端末１の表示手段１５上の表示画面であり、９６は入場証中の表示情報９３の表示、９７は入場時間通知メッセージの表示、９８は現在時刻の表示を、それぞれ示している。このように、入場時間の１０分前になると、画面表示でどの予約内容の入場時間が迫っているかを通知する。このとき、携帯情報端末１に音声出力手段を設けて、音で通知するようにしてよいし、携帯情報端末１に端末を振動させるバイブレーション機能を搭載し、端末を振動させることにより、入場時間が近づいたことを知らせるようにしてもよい。かようにすることにより、携帯情報端末１を所持するユーザに対して、入場時間に遅れることなく入場することを促すことができる。
【００４６】
なお、携帯情報端末１が、ＧＰＳシステムによる自位置認知機能をもつ携帯電話機などである場合には、暗号化入場証の配信時に、入場証配信端末２から携帯情報端末１に入場証鍵配信端末３の位置情報を併せて送信するようにして、携帯情報端末１が、適宜の地図案内提供サービスサーバなどからのデータ提供を受けることにより、自位置（携帯情報端末１の位置）と入場証鍵配信端末３との位置関係を、地図上に表示させることができ、かように携帯情報端末１の表示手段１５上で入場証鍵配信端末３の位置案内を行うことも可能である。
【００４７】
【発明の効果】
以上のように本発明によれば、暗号化された入場証を配信する端末（入場証配信端末）や復号化のための鍵データを配信する端末（入場証鍵配信端末）に、入場者あるいは携帯情報端末の個々のデータを蓄積・管理するデータベースを不要としているので、システム構築が容易で、また、安価なシステムとして実現可能となり、さらに迅速な処理を行うことが可能となる。また、入場を許可する時間を有する暗号化入場証をもつ携帯情報端末は、その該当する時間に適合する携帯情報端末のみが入場が許可されることになるので、許容範囲を超えて遅く来場した人や、許容範囲を超えて早く来場した人を、入場制限することができ、会場内の人数を適正に維持することが可能となり、以って、多くの入場者があって、時間で入場制限するためのシステムを、簡単・容易に構築することができる。また、入場証鍵配信端末によって、広い範囲に向けて入場証復号化鍵の配信が可能であることから、入場者（携帯情報端末の所有者）はゲート前などに長時間並ぶ必要がなくなる。さらに、入場者が操作しなくても、携帯情報端末と入場証鍵配信端末とが通信可能な状態となれば、自動的に入場証復号化鍵データを配信して、入場許可情報を表示させることが可能なので、ユーザが携帯情報端末をいちいち操作する煩わしい手間を省くことができる。さらにまた、携帯情報端末において入場時間が近づいたことを知らせるようにしているので、携帯情報端末を所持するユーザに対して、入場時間に遅れることなく入場することを促すことができる。
【図面の簡単な説明】
【図１】本発明の一実施形態に係る入場証配信システムの概要を示す説明図である。
【図２】本発明の一実施形態に係る入場証配信システムにおける、携帯情報端末の構成例を示すブロック図である。
【図３】本発明の一実施形態に係る入場証配信システムにおける、入場証配信端末の構成例を示すブロック図である。
【図４】本発明の一実施形態に係る入場証配信システムにおける、入場証鍵配信端末の構成例を示すブロック図である。
【図５】本発明の一実施形態に係る入場証配信システムにおける、携帯情報端末と入場証配信端末とがデータの送受信を行い、暗号化入場証を配信する際の様子を示す要部ブロック図である。
【図６】本発明の一実施形態に係る入場証配信システムにおける、携帯情報端末が暗号化入場証を入手する手順例を示すフローチャートである。
【図７】本発明の一実施形態に係る入場証配信システムにおける、携帯情報端末と入場証鍵配信端末とがデータ通信を行って、入場証復号化鍵を配信する際の様子を示す要部ブロック図である。
【図８】本発明の一実施形態に係る入場証配信システムにおける、携帯情報端末が入場証復号化鍵を入手し、暗号化入場証を復号化する手順例を示すフローチャートである。
【図９】本発明の一実施形態に係る入場証配信システムにおける、暗号化入場証のデータ構成例を示す説明図である。
【図１０】本発明の一実施形態に係る入場証配信システムにおける、携帯情報端末での報知画面例を示す説明図である。
【符号の説明】
１　携帯情報端末
２　入場証配信端末
３　入場証鍵配信端末
４　入場ゲート
５　入場証鍵配信端末が無線配信可能な領域
１１、２１、３１　ＣＰＵ（中央処理ユニット）
１２、２２、３２　ＲＯＭ（不揮発性メモリ）
１３、２３、３３　記憶手段
１４、２４、３４　Ｉ／Ｏ（入出力インターフェース手段）
１５　表示手段
１６、２５、３５　バス
１７、２６、３６　通信手段
１８　入力手段
４１　端末ＩＤ
４２　復号化手段
５１　入場証生成手段
５２　暗号化手段
５３　鍵生成手段
５４　入場証暗号化鍵生成手段
５５　時計手段
６１　鍵生成手段
６２　入場証復号化鍵生成手段
６３　時計手段
９１　入場会場識別コード
９２　入場日時データ
９３　表示情報
９４　暗号化入場許可コード
１０１　入場証データ
１０２　鍵データ
１０３　入場証暗号化鍵
１０４　暗号化入場証
１０５　鍵データ
１０６　入場証復号化鍵
【図１】
2004078836.tif 000003
【図２】
2004078836.tif 000004
【図３】
2004078836.tif 000005
【図４】
2004078836.tif 000006
【図５】
2004078836.tif 000007
【図６】
2004078836.tif 000008
【図７】
2004078836.tif 000009
【図８】
2004078836.tif 000010
【図９】
2004078836.tif 000011
【図１０】
2004078836.tif 000012